(57)【要約】  システムが、音響信号内の望ましくないノイズ成分を識別するように構成されるノイズ検出器、及び識別された望ましくないノイズ成分を解析し、ノイズエネルギープロファイルを生成するように構成されるノイズエネルギープロファイラを含む。このシステムにおいて、消去プロファイルジェネレータが、ノイズエネルギープロファイル内の情報に少なくとも部分的に基づいてノイズ消去プロファイルを生成するように構成され、消去プロファイルエフェクタが、ノイズ消去プロファイルをプログラマブル回路のための値に変換するように構成される。
2013523015.tif 000002
【特許請求の範囲】
【請求項１】
装置であって、
音響信号内の望ましくないノイズ成分を識別するように構成されるノイズ検出器、
前記識別された望ましくないノイズ成分を解析し、かつノイズエネルギープロファイルを生成するように構成されるノイズエネルギープロファイラ、
少なくとも部分的に前記ノイズエネルギープロファイル内の情報に基づいてノイズ消去プロファイルを生成するように構成される消去プロファイルジェネレータ、及び
前記ノイズ消去プロファイルをプログラマブル回路のための値に変換するように構成される消去プロファイルエフェクタ、
を含む、装置。
【請求項２】
請求項１に記載の装置であって、前記ノイズ消去プロファイルが、前記装置のフィードバック成分のための所望の利得を表し、及び前記プログラマブル回路が、前記所望の利得を調節するための少なくとも１つのプログラマブル要素を含む、装置。
【請求項３】
請求項１に記載の装置であって、予め定義されたエネルギープロファイルの群を含むデータストアを更に含み、前記消去プロファイルジェネレータが、前記ノイズエネルギープロファイルが生成する前記ノイズエネルギープロファイルに少なくとも部分的に基づいて、予め定義されたエネルギープロファイルの前記群から予め定義されたエネルギープロファイルを選択する、装置。
【請求項４】
請求項３に記載の装置であって、前記データストアが、各予め定義されたエネルギープロファイルが少なくとも１つの消去プロファイルに対応する、予め定義された消去プロファイルの群を更に含み、前記消去プロファイルジェネレータが更に、前記選択された予め定義されたエネルギープロファイルに対応する予め定義された消去プロファイルを選択する、装置。
【請求項５】
請求項４に記載の装置であって、前記予め定義された消去プロファイルが、前記装置のフィードバック成分のための所望の利得を表し、前記プログラマブル回路が、前記所望の利得を調節するための少なくとも１つのプログラマブル要素を含む、装置。
【請求項６】
請求項４に記載の装置であって、前記予め定義された消去プロファイルが、前記プログラマブル回路を含む信号経路のための所望の周波数応答を表す、装置。
【請求項７】
請求項４に記載の装置であって、前記予め定義された消去プロファイルが、前記プログラマブル回路が生成するアンチノイズ信号の所望の周波数応答を表す、装置。
【請求項８】
請求項１に記載の装置であって、前記消去プロファイルジェネレータが、消去プロファイルを計算するように構成されるプロファイル計算機を含む、装置。
【請求項９】
請求項８に記載の装置であって、前記計算された消去プロファイルが、前記プログラマブル回路を含む信号経路のための所望の周波数応答を表す、装置。
【請求項１０】
請求項８に記載の装置であって、前記消去プロファイルが、予め定義された周波数スペクトルにわたるノイズエネルギープロファイルと振幅が実質的に同等で位相が実質的に逆であり、前記計算された消去プロファイルが、前記プログラマブル回路が生成するアンチノイズ信号の所望の周波数応答を表す、装置。
【請求項１１】
請求項１に記載の装置であって、ヘッドフォンに含まれる、装置。
【請求項１２】
請求項１に記載の装置であって、聴覚増幅デバイスに含まれる、装置。
【請求項１３】
方法であって、
音響信号内の望ましくないノイズ成分を識別すること、
前記識別された望ましくないノイズ成分を解析すること、
ノイズエネルギープロファイルを生成すること、
前記ノイズエネルギープロファイル内の情報に少なくとも部分的に基づいてノイズ消去プロファイルを生成すること、及び
前記ノイズ消去プロファイルをプログラマブル回路のための値に変換すること、
を含む、方法。
【請求項１４】
請求項１３に記載の方法であって、前記ノイズ消去プロファイルが、装置のフィードバック成分のための所望の利得を表し、前記プログラマブル回路が、前記所望の利得を調節するための少なくとも１つのプログラマブル要素を含む、方法。
【請求項１５】
請求項１３に記載の方法であって、
前記ノイズエネルギープロファイルに少なくとも部分的に基づいて、データストア内の予め定義されたエネルギープロファイルの群から予め定義されたエネルギープロファイルを選択すること、
を更に含む、方法。
【請求項１６】
請求項１５に記載の方法であって、
前記データストアから予め定義された消去プロファイルを選択することを更に含み、前記予め定義された消去プロファイルが、前記選択された予め定義されたエネルギープロファイルに対応する、
方法。
【請求項１７】
請求項１６に記載の方法であって、前記予め定義された消去プロファイルが、装置のフィードバック成分のための所望の利得を表し、前記プログラマブル回路が、前記所望の利得を調節するための少なくとも１つのプログラマブル要素を含む、方法。
【請求項１８】
請求項１６に記載の方法であって、前記予め定義された消去プロファイルが、前記プログラマブル回路を含む信号経路のための所望の周波数応答を表す、方法。
【請求項１９】
請求項１５に記載の方法であって、前記予め定義された消去プロファイルが、前記プログラマブル回路が生成するアンチノイズ信号の所望の周波数応答を表す、方法。
【請求項２０】
請求項１３に記載の方法であって、前記消去プロファイルを生成することが、消去プロファイルを計算するように構成されるプロファイル計算機を含む、方法。
【請求項２１】
請求項２０に記載の方法であって、前記計算された消去プロファイルが、前記プログラマブル回路を含む信号経路のための所望の周波数応答を表す、方法。
【請求項２２】
請求項２０に記載の方法であって、前記消去プロファイルが、予め定義された周波数スペクトルにわたるノイズエネルギープロファイルと振幅が実質的に同等で位相が実質的に逆であり、前記計算された消去プロファイルが、前記プログラマブル回路が生成するアンチノイズ信号の所望の周波数応答を表す、方法。
【請求項２３】
請求項１３に記載の方法であって、ヘッドフォンに含まれる、方法。
【請求項２４】
請求項１３に記載の方法であって、聴覚増幅デバイスに含まれる、方法。
【発明の詳細な説明】
【技術分野】
【０００１】
本願は、２０１０年３月１５日出願の米国仮出願番号第６１／３１４，１２８号の優先権を主張し、その内容全体を本明細書に組み込む。
【背景技術】
【０００２】
電気的システムを介する信号伝播は、望ましい信号成分と望ましくない信号成分を含み得る。望ましくない成分は、電気的システムの外側で生成され得る又は電気的システム自体により生成され得る。音響システムにおいて、このような望ましくない成分の１つは周囲音響ノイズである。
【０００３】
ある種類の予期される周囲音響ノイズを能動的に消去する音響システムに回路が組み込まれることが多い。しかし、実際の周囲音響ノイズは、予期される周囲音響ノイズとは全く異なるものであり得る。
【０００４】
このため、実際の周囲音響ノイズ検出し、検出されたノイズを消去するよう音響システムを適合的に構成する能力を有することが有益であり得る。
【図面の簡単な説明】
【０００５】
【図１】図１は、電気的システム内の信号を処理するための例示のシステムを図示する。
【０００６】
【図２】図２は、電気的システム内の信号を処理するための第１の代表的な例示のシステムを図示する。
【０００７】
【図３】図３は、フィードバックを備えたヘッドフォンのための例示のシステムモデルを図示する。
【０００８】
【図４】図４は、電気的システム内の信号を処理するための第２の代表的な例示のシステムを図示する。
【０００９】
【図５】図５は、電気的システム内の信号を処理するための第３の代表的な例示のシステムを図示する。
【００１０】
【図６】図６は、周囲音響ノイズを識別し、かつ少なくとも部分的にそのノイズを消去するプログラマブル回路を調節するよう実装され得る例示のプロセスを図示する。
【発明を実施するための形態】
【００１１】
例示の音響システムは、周囲環境に存在する音響ノイズを消去するのに有益であり得る音響ヘッドフォンである。
【００１２】
ヘッドフォンには、或る周波数帯においてノイズを消去するよう製造時に調整されるものがある。例えば、幾つかのヘッドフォンは、２００〜３００ヘルツ（Ｈｚ）の周波数帯に主として現れる飛行機のエンジンノイズを消去するよう調整される。飛行機内でこのようなヘッドフォンを装着すると、ヘッドフォンイヤーカップを通る周囲音響ノイズに最も多いエンジンノイズがヘッドフォン内で消去される。このようなヘッドフォンを他の場所で装着すると、２００〜３００Ｈｚの周波数帯は消去されるが、他の周波数の周囲音響ノイズは消去されない可能性があり、ヘッドフォンの装着者は、ヘッドフォンイヤーカップを通る周囲音響ノイズを聞く可能性がある。
【００１３】
幾つかのヘッドフォンは或るメカニズムを含み、それにより、ヘッドフォンの装着者は、一般的に２つ又は３つの異なる消去オプション間を切り替え得る。例えば、装着者は、飛行機、車、及び列車ノイズ消去オプション間を切り替え得る。このようなヘッドフォンの装着者は、他の周囲ノイズ、いくつか例を挙げると、ジャックハンマーのノイズ、泣いている赤ちゃんのノイズ、及びキーキーいう機械のノイズなど、を消去する能力を有さない。ヘッドフォンの装着者は、利用可能な異なる消去オプションを試すことしかできないだろう。提供されるオプションの数は、切り替えメカニズムのサイズにより又は使用時に感じる複雑さによって制限され得る。
【００１４】
以降に説明するようなヘッドフォンは、周囲音響ノイズを動的に解析し、少なくともそのノイズの支配的な周波数帯のノイズを消去するようヘッドフォンを適合的に構成する。ノイズの解析は、そのノイズの支配的な部分の周波数帯を判定することを含み得る。ノイズの解析は、代替として又は付加的に、異なる周波数で又は異なる周波数帯内の、ノイズのエネルギーを判定することによりそのノイズのエネルギーをプロファイリングすることを含む。
【００１５】
消去は、受動的に又は能動的に実行され得る。受動的消去では、音響的ノイズ消去のみが用いられる。能動的消去では、アンチノイズ信号が生成されてヘッドフォン内のスピーカーに印加される電気的信号と組み合わさるか、又はアンチノイズ音響信号がヘッドフォン内の二次的スピーカーを介して生成される。アンチノイズは、消去すべきノイズと大きさが等しく、位相が逆の信号である。アンチノイズの利用は、アクティブノイズキャンセルと呼ぶこともある。アクティブノイズキャンセルは、フィードバックとフィードフォワード信号処理の何らかの組み合わせを含み得る。
【００１６】
本明細書で用いるヘッドフォンという用語は、一組のヘッドフォンの１つのヘッドフォン、単一のヘッドフォン、イヤホン、補聴器、又は入力からスピーカーへ音声信号を伝送するための任意の他の音響デバイスを備えたヘッドセットを表し得る。更に、ヘッドフォンのために本明細書に記載する概念は他の音響システムにも適用される。
【００１７】
図１は、望ましくない周囲ノイズを適合的に消去するための例示のシステム１００を図示する。
【００１８】
システム１００は、ノイズ検出器１２０、ノイズエネルギープロファイラ１２５、消去プロファイルジェネレータ１３０、及び消去プロファイルエフェクタ１３５を含み得る。図１に示すシステム１００の種々の要素は、限定ではなく例示として提供される。図１は、特定の実装に適切なように、図示したものより多い又は少ない要素を含んでいてよい。
【００１９】
ノイズ検出器１２０は、システム内のノイズを識別する機能を行うハードウェア、ソフトウェア、及びファームウェアのうち任意のもの又はそれらの組み合わせであり得る。識別されたノイズに関する情報はノイズエネルギープロファイラ１２５に供給される。例えば、情報は、識別されたノイズのアナログ又はデジタル表示を含み得る。
【００２０】
ノイズエネルギープロファイラ１２５は、ノイズのエネルギーをプロファイリングする機能を実行するハードウェア、ソフトウェア、及びファームウェアのうち任意のもの又はこれらの組み合わせであり得る。ノイズエネルギープロファイラ１２５は、ノイズ検出器１２０からの情報を用いて、ノイズのプロファイルをつくる。例えば、ノイズエネルギープロファイルは、ノイズの多数周波数又は周波数帯の平均振幅を含み得る。別の例として、ノイズエネルギープロファイルは、大部分のエネルギーを含むノイズの周波数帯を識別し得る。ノイズエネルギープロファイラ１２５は、プロファイルを消去プロファイルジェネレータ１３０に供給し得る。
【００２１】
消去プロファイルジェネレータ１３０は、ノイズを消去するためのプロファイルを生成する機能を行うハードウェア、ソフトウェア、及びファームウェアのうち任意のもの又はそれらの組み合わせであり得る。
【００２２】
幾つかの実施例において、消去プロファイルジェネレータ１３０は、本質的にノイズ消去を含むシステム１００のための所望の伝達関数を表すプロファイルを生成する。他の実施例において、消去プロファイルジェネレータ１３０は、所望のアンチノイズ信号を表すプロファイルを生成する。
【００２３】
幾つかの実施例において、ノイズ消去プロファイルは、単一の増幅ファクタ程度にシンプルであり得る。他の実施例において、ノイズ消去プロファイルは、等式の複合セットであってもよく、又は、例えば、アンチノイズ信号又は所望の周波数応答を記述する周波数、振幅、及び位相情報のマトリックス又は他のセットを含み得る。プロファイルは、ストアされたプロファイルの選択のインジケータであってもよい。消去プロファイルジェネレータ１３０及びプロファイルの幾つかの例示の代表的な実装を、以下に詳細に記載する。消去プロファイルジェネレータ１３０は、生成されたプロファイルを消去プロファイルエフェクタ１３５に供給する。
【００２４】
消去プロファイルエフェクタ１３５は、電気的システム内のアンチノイズプロファイルを印加する機能を行うハードウェア、ソフトウェア、及びファームウェアのうち任意のもの又はそれらの組み合わせであり得る。エフェクタ１３５の実装は、システム１００のアーキテクチャ及び生成されるアンチノイズプロファイルの形式に依存する。このため、エフェクタ１３５の特定の実装を、消去プロファイルジェネレータ１３０の関連する例示の実施例に関して以降に記載する。
【００２５】
ノイズ検出器１２０、ノイズエネルギープロファイラ１２５、消去プロファイルジェネレータ１３０、及び消去プロファイルエフェクタ１３５は、１つ又は複数のコンピューティングデバイスに含まれ得る。コンピューティングデバイスの例は、コンピュータワークステーション、サーバー、デスクトップコンピュータ、ノートブックコンピュータ、ラップトップコンピュータ、ハンドヘルドコンピュータ、スマートフォン、ヘッドフォン、組み込みプロセッサを備えたデバイス、又は幾つかの他の既知のコンピューティングシステム又はデバイスを含むが、これらに限定されるものではない。
【００２６】
コンピューティングデバイスは概して、コンピュータが実行し得る命令を含む。一般に、コンピューティングデバイスが、メモリ、コンピュータ可読媒体などから命令を受け取り、命令を実行し、それにより、１つまたは複数のプロセスを実施する。このような命令および他のデータは、種々の既知のコンピュータ可読媒体を用いて記憶及び送信され得る。
【００２７】
コンピュータ可読媒体（プロセッサ可読媒体とも呼ばれる）が、コンピュータ（例えば、コンピュータのプロセッサ）が読み取り得るデータ（例えば命令）の提供に関与する、任意のトランジスタを含まない（non-transitory）（例えば実体のある）媒体を含む。このような媒体は、多くの形態をとり得、不揮発性媒体及び揮発性媒体を含むがこれらに限定されない。このような命令は、１つまたは複数の送信媒体によって送信され得る。
【００２８】
図２は、第１の代表的な例示の消去プロファイルジェネレータ１３０及び関連する消去プロファイルエフェクタ１３５をプログラマブル回路２０５とともに図示する。この例示の実装において、消去プロファイルジェネレータ１３０は、ノイズエネルギープロファイルを解析し、ノイズのエネルギーを表す１つ又は複数のパラメータを消去プロファイルエフェクタ１３５に提供する。エフェクタ１３５は、この１つ又は複数のパラメータをプログラマブル回路２０５のためのレジスタ設定に変換して、プログラマブル回路により生成されるアンチノイズ信号が周囲ノイズを大部分消去するようにプログラマブル回路の利得又は伝達関数を調節する。例えば、ヘッドフォンが製造段階で或る予期される大きさの飛行機ノイズを消去するよう調整されていたが実際の飛行機ノイズが著しく大きかった場合、フィードバック・ループ内の誤差増幅器が、一層高い利得のため一層大きいアンチノイズ信号を生成させるようプログラムされ得る。
【００２９】
他の実施例において、消去プロファイルエフェクタ１３５は、消去プロファイルジェネレータ１３０から受信した１つ又は複数のパラメータを、利得が調節されるようにプログラマブル回路２０５のための多数のパラメータに変換し得る。更に他の実施例において、消去プロファイルジェネレータ１３０は、多数の周波数帯におけるノイズのエネルギーを表す多数の値を消去プロファイルエフェクタ１３５に供給し得、エフェクタ１３５は、これらの多数の値を、利得が多数の周波数帯に対して個別に調節され得るように、多数のプログラマブル回路２０５のための１つ又は複数のプログラマブル回路パラメータに変換し得る。
【００３０】
図２に示した例において、消去プロファイルエフェクタ１３５は、実装されるプログラミングプロトコルを用いて値をプログラマブル回路２０５にプログラムし得る。代替として、消去プロファイルエフェクタ１３５は、プログラマブル回路２０５のプログラミングを実行する別の構成要素（図示せず）に通知を送信し得る。
【００３１】
図３は、１つの代表的なアクティブノイズ消去システムを説明するためフィードバックを備えたヘッドフォンのための例示のシステムモデルを図示する。このモデルにおいて、Ｓ（ω）はヘッドフォンのイヤーカップ内のスピーカーへの電気的入力信号を表し、Α（ω）は入力信号Ｓ（ω）内の望ましいオーディオ成分を表し、及びΝ（ω）はイヤホンを通過して外耳道に達する周囲音響ノイズを表す。Ο（ω）は外耳道に達する全ての音響音を表す。Ｃ（ω）を以下に述べる。
【００３２】
Ｇ（ω）は、スピーカー３１０が、入力信号Ｓ（ｗ）を受け取り、音響信号を放出する、ヘッドフォンのイヤーカップ３０５の周波数応答を表す。Ｇ１（ω）はスピーカー３１０の周波数応答を表す。マイクロフォン３１５が、スピーカー３１０が放出する音響信号とノイズΝ（ω）の組み合わせを表すフィードバックとして電気的信号を提供する。Ｇ２（ω）はマイクロフォン３１５の周波数応答を表す。Ｋｍはフィードバックマイクロフォン３１５の増幅器３３０の利得である。
【００３３】
Ｇ＾（ω）はイコライザー３２０の周波数応答を表す。Ｋａはオーディオ増幅器３２５内の利得を表す。Ｇ＾（ω）及びＫａの組み合わせは、Ｇ（ω）及びＫｍの組み合わせと同じ伝達関数を有するように設計される。
【００３４】
Ｋｅは、誤差増幅器３３５の利得であり、Ε（ω）は誤差増幅器３３５の出力の誤差信号である。誤差信号Ε（ω）は、フィルタリングされた望ましいオーディオ成分Α（ω）を有する、マイクロフォン３１５が受け取る音響信号を表す。このため、理想的なシステムでは、誤差信号Ε（ω）はゼロに等しくなる。
【００３５】
Η（ω）は補償フィルタ３４０の周波数応答を表し、Ｃ（ω）は、補償フィルタ３４０の出力での補償信号である。Η（ω）は、スピーカー３１０が信号Ｓ（ω）に応答してノイズΝ（ω）を消去する音響信号を放出する一方で、望ましいオーディオを外耳道に運ぶことを可能とする、信号Ｃ（ω）を生成するようにするように設計される。このため、理想的な場合、ノイズΝ（ω）が完全に消去され、Ｇ＾（ω）及びＫａがＧ（ω）及びＫｍと等しくなるよう完全に整合され、増幅器３３５への入力は、互いに等しく、増幅器３３５の出力での誤差信号Ε（ω）はゼロである。
【００３６】
信号Ο（ω）は、スピーカー３１０が放出する音響信号とノイズΝ（ω）の合計である。信号Ο（ω）は、さしあたりノイズΝ（ω）を無視して、式（１）に示すように、Α（ω）の関数として計算され得る。
0(ω)=(Α(ω)+(Α(ω)×Ka×G^(ω)-0(ω)×Km×G(ω))×(Ke×H(ω)))×G1(ω)  （１）
【００３７】
Ο（ω）に対し式（１）を解くと式（２）となり、Ο（ω）の成分は所望の音声信号Α（ω）に関連する。
【数１】
2013523015.tif 000003
【００３８】
式（２）は、上述のようにＫａ×Ｇ＾（ω）がＫｍ×Ｇ（ω）に等しくなることを示している。
【００３９】
信号Ο（ω）は、音声信号Α（ω）を無視して、式（３）に示すように、Ν（ω）の開ループ関数としても計算され得る。
０（ω）＝Ν（ω）×Κｍ×Κｅ×Ｇ（ω）×Η（ω）  （３）
【００４０】
信号Ο（ω）はまた、Ν（ω）の閉ループ関数として計算され得、式（４）に示す関係となる。
【数２】
2013523015.tif 000004
【００４１】
式（４）は、外耳道での良好なノイズ減衰のため、式（３）に示すようなΟ（ω）の開ループ応答は大きくすべきであることを示している。
【００４２】
誤差増幅器３３５利得Ｋｅに対する値が、図３のモデルから計算され得る。例えば、式（４）において、利得ＫｅはノイズΝ（ω）の振幅の増加を補償するように増加され得ることが分かる。利得Ｋｅは、ノイズエネルギープロファイラ１２５からノイズプロファイルに記載されたノイズを補償するように消去プロファイルジェネレータ１３０によって提供される値に応答して消去プロファイルエフェクタ１３５により計算され得る。成分３２０、３２５、３３０、３３５、及び３４０の他のパラメータもヘッドフォンの応答を改変するよう変更され得る。
【００４３】
図３に示した例において成分３２０、３２５、３３０、３３５、及び３４０は個別の機能として示され、例えば、成分３３５の利得ＫｅはノイズΝ（ω）振幅に基づいて調整され得ることが記載されている。他の実施例において、成分３２０、３２５、３３０、３３５、及び３４０は、１つ又は複数のプログラマム可能な値を有する１つのプログラマブル回路として実装され得、その回路は、消去プロファイルジェネレータ１３０により生成されるプロファイルで示すような伝達関数を実現するようプログラムされ得る。
【００４４】
図４は、第２の代表的な例示の消去プロファイルジェネレータ１３０及び関連する消去プロファイルエフェクタ１３５を、プログラマブル回路２０５及びデータストア４０５と共に図示する。データストア４０５は、階層データベース、ファイルシステム内のファイルのセット、独自仕様フォーマットのアプリケーションデータベース、リレーショナルデータベース管理システム（ＲＤＢＭＳ）などを含めて、様々な種類のデータを記憶し、データにアクセスし、かつデータを引き出すための様々な種類のメカニズムを含み得る。
【００４５】
図４に示す実装において、データストア４０５は、各消去プロファイルがエネルギープロファイルに対応する、エネルギープロファイルのセット及び予め決められた消去プロファイルのセットを含む。消去プロファイルジェネレータ１３０は、ノイズエネルギープロファイルを１２５からのノイズエネルギープロファイルを、データストア４０５内のエネルギープロファイルのセットと比較し、最も近い整合を選択する。例えば、ノイズエネルギーの大半が周波数帯４００〜５００Ｈｚにある場合、消去プロファイルジェネレータ１３０は、エネルギーの大半が周波数帯４００〜５００Ｈｚにあるデータストア４０５からエネルギープロファイルを選択し得る。最も近い整合エネルギープロファイルが選択されると、対応する消去プロファイルが消去プロファイルエフェクタ１３５に供給される。
【００４６】
引き続き第２の代表的な例において、消去プロファイルエフェクタ１３５は、消去プロファイルをシステムアーキテクチャに適切なシステムに印加する。例えば、図３のヘッドフォンにおいて、消去プロファイルエフェクタ１３５は、１つ又は複数の構成可能な回路のパラメータを設定することにより補償フィルタ３４０のパラメータを調節し得る。別の例として、図３に示す成分３２０、３２５、３３０、３３５、及び３４０全てが共にプログラマブル回路内に実装されるヘッドフォンにおいて、消去プロファイルエフェクタ１３５は、プロファイルに従って回路のパラメータを調節し得、ノイズを消去するためのシステム伝達関数をもたらす。
【００４７】
図４に示した例において、消去プロファイルエフェクタ１３５は、実装されたプログラミングプロトコルを用いてパラメータをプログラマブル回路２０５にプログラムし得る。代替として、消去プロファイルエフェクタ１３５は、プログラマブル回路２０５のプログラミングを実行する別の構成要素（図示せず）に通知を送信し得る。
【００４８】
図５は、プロファイル計算機５０５及び関連する消去プロファイルエフェクタ１３５を含む第３の代表的な例示の消去プロファイルジェネレータ１３０を、プログラマブル回路２０５と共に図示する。この実装において、消去プロファイルジェネレータ１３０は、プロファイル計算機５０５を用いて、例えば、補償回路のための所望の消去信号又はシステム１００又はシステム１００の一部のための所望の伝達関数を含む、消去プロファイルを計算する。消去プロファイルエフェクタ１３５は、次いで、補償回路又はシステムの構成可能な回路２０５を調節するように消去プロファイルを情報に変換し得る。
【００４９】
図５に示した例において、消去プロファイルエフェクタ１３５は、実装されたプログラミングプロトコルを用いてパラメータをプログラマブル回路２０５にプログラムし得る。代替として、消去プロファイルエフェクタ１３５は、プログラマブル回路２０５のプログラミングを実行する別の構成要素（図示せず）に通知を送信し得る。
【００５０】
上述の例示の実施例は網羅的なものではなく、多くの他の実施例が可能である。
【００５１】
図６は、システム１００に実装され得る例示のプロセス６００を図示する。ブロック６０５で、ノイズ検出器１２０が、システム１００内のノイズを識別する。例えば、ノイズ検出器１２０は、バンドパスフィルタのセット及び幾つかの異なる周波数帯においてエネルギーを測定する１つ又は複数の回路であり得る。
【００５２】
ブロック６１０で、ノイズエネルギープロファイラ１２５は、ブロック６０５で識別されたノイズを解析する。例えば、ノイズは最高平均エネルギーを備えた周波数帯を識別するよう解析され得、又は各々が閾値を超えるエネルギーピークを有する周波数帯のセットが識別され得る。
【００５３】
ブロック６１５で、消去プロファイルジェネレータ１３０は、ノイズ消去プロファイルを決定する。幾つかの実施例において、ノイズ消去プロファイルは、システム１００のための所望の伝達関数であり得る。他の実施例において、ノイズ消去プロファイルは、プログラマブル回路が出力した信号が、ブロック６１０でノイズ識別された少なくとも一部を消去するアンチノイズ信号であるように、プログラマブル回路のための所望の伝達関数であり得る。
【００５４】
ブロック６２０で、消去プロファイルエフェクタ１３５が、プログラマブル回路に印加するため、ブロック６１５で決定されたノイズ消去プロファイルを実際の値に変換する。例えば、ノイズ消去プロファイルは、或る周波数帯における消去を含み得、バンドパスフィルタのための回路値は、所望の帯域において所望の消去を達成するよう計算され得る。
【００５５】
ブロック６２５で、ブロック６２０で決定された値を実装されたプログラミングプロトコルに従ってプログラマブル回路にプログラミングすることにより、ノイズ消去プロファイルがプログラマブル回路に適用される。
【００５６】
ブロック６２５の後、プロセス６００が終了する。
【００５７】
このように、望ましくない信号成分を検出し、望ましくない信号成分を補償するようにシステムを構成することにより環境に適合する電気的システムが記載される。電気的システムがヘッドフォンである場合、ノイズが検出、解析、及び消去される。
結論
【００５８】
本明細書に記載するプロセス、システム、方法、ヒューリスティックなどに関して、このようなプロセスなどのステップを或る順序付けられたシーケンスに従って行われるように記載したが、このようなプロセスは本明細書に記載した順序以外の順序で実施される上記ステップで実施し得ることを理解されたい。また、或る複数のステップを同時に実施することができ、他のステップを追加することができ、また、本明細書に記載した或るステップを省略し得ることも理解されたい。言い換えれば、本明細書のプロセスの記載は或る種の実施例を示すために提供されたものであり、決して特許請求される発明を限定するように解釈すべきではない。
【００５９】
従って、上記の記載は例示を意図しており、限定することは意図していないことを理解されたい。提供した例以外の多くの実施例および応用例が上記記載を読めば明らかになるであろう。本発明の範囲は、上記記載を参照して定められるものではなく、添付の特許請求の範囲を、このような特許請求の範囲が請求するものの均等物の最大範囲とともに参照して、定められるべきである。本明細書に記載した技術において将来開発が行われることや、ここで開示したシステムおよび方法がこのような将来の実施形態に組み込まれることも予想され、意図されている。要約すれば、本発明は改変および変形が可能であることを理解されたい。
【００６０】
特許請求の範囲で用いられる用語はいずれも、本明細書においてそれに反する明示的指示がない限り、本明細書に記載した技術に精通する当業者が理解する最も広範な妥当な解釈および通常の意味が与えられるものとする。特に、「或る」、「その」、「前記」などの単数冠詞が用いられている場合、特許請求の範囲がそれに反する限定を明示的に示していない限り、これらの単数冠詞で示される要素の１つまたは複数を示していると読むべきである。
【図１】
2013523015.tif 000005
【図２】
2013523015.tif 000006
【図３】
2013523015.tif 000007
【図４】
2013523015.tif 000008
【図５】
2013523015.tif 000009
【図６】
2013523015.tif 000010
【国際調査報告】
2013523015.tif 000011
2013523015.tif 000012
2013523015.tif 000013